(57)【特許請求の範囲】
【請求項１】
光学系を保持する保持枠を前記光学系の光軸方向に移動可能に保持する保持筒と、
前記保持筒に係合するとともに、前記保持筒に対して回転することにより前記保持枠を移動させる回転部材とを備え、
前記保持筒と前記回転部材の一方は、他方に係合する複数の係合部と、該複数の係合部の間に設けられた切欠き部とを有し、
前記保持筒と前記回転部材との間に、前記切欠き部と連通して前記空間を外部と連通させる間隙が設けられ、
前記保持筒及び回転部材は、前記光軸方向に沿って設けられ前記回転部材の回転により互いに摺動する摺動部を有し、
前記係合部は、前記保持筒の内側に係合するように設けられ、
前記切欠き部は、前記回転部材の前記保持筒の内側に配置された部分に設けられ、
前記回転部材を回転して前記保持枠を移動させる際に、前記保持枠に隣接する空間を前記切欠き部を介して外部と連通させることを特徴とする光学機器。
【請求項２】
請求項１に記載の光学機器において、
前記間隙は、前記切欠き部に対応して部分的に設けられていることを特徴とする光学機器。
【請求項３】
請求項１又は請求項２に記載の光学機器において、
前記間隙は、前記光軸方向に沿って設けられ前記切欠き部と連通する第１の間隙と、前記光軸方向と交差する方向に設けられ前記第１の間隙を外部と連通する第２の間隙と、を有し、
前記第１の間隙の前記光軸方向に垂直な方向の幅は、前記第２の間隙の前記光軸方向に平行な方向の幅よりも大きいことを特徴とする光学機器。
【請求項４】
請求項１ないし請求項３のいずれか一項に記載の光学機器において、
前記切欠き部に防水性及び通気性を有する部材が設けられていることを特徴とする光学機器。
【請求項５】
請求項１ないし請求項４のいずれか一項に記載の光学機器と、前記光学系による像を撮像する撮像素子とを備えた撮像装置。
【発明の詳細な説明】
【技術分野】
【０００１】
本発明は、光学機器及び撮像装置に関するものである。
【背景技術】
【０００２】
従来から、鏡筒に連通孔が設けられたレンズ鏡筒などの光学機器が知られている。この光学機器は、連通孔により鏡筒の内部と外部とを連通させてレンズの曇りを除去するものである（例えば、特許文献１参照）。
【先行技術文献】
【特許文献】
【０００３】
【特許文献１】特開平９−１５９８９５号公報
【発明の概要】
【発明が解決しようとする課題】
【０００４】
しかしながら、上記従来の光学機器は、レンズなどの光学系が光軸方向に移動する距離が大きくなると、鏡筒内の圧力変化により光学系を駆動する際の抵抗が大きくなるという課題がある。
【０００５】
そこで、本発明は、光学系を駆動する際の抵抗を低減することができる光学機器及び撮像装置を提供するものである。
【課題を解決するための手段】
【０００６】
上記の課題を解決するために、本発明は実施の形態に示す図１〜図７に対応付けした以下の構成を採用している。なお、本発明を分かり易く説明するために、一実施形態を示す図面の符号に対応付けて説明するが、本発明は実施形態に限定されるものではない。
【０００７】
本発明の光学機器（１００）は、光学系（Ｌ１）を保持する保持枠（３）を前記光学系の光軸（Ｘ）方向に移動可能に保持する保持筒（５）と、前記保持筒に係合するとともに、前記保持筒に対して回転することにより前記保持枠を移動させる回転部材（７）とを備え、前記保持筒と前記回転部材の一方は、他方に係合する複数の係合部（７ａ）と、該複数の係合部の間に設けられた切欠き部（７ｂ）とを有し、前記回転部材を回転して前記保持枠を移動させる際に、前記保持枠に隣接する空間（Ｓ１，Ｓ２）を前記切欠き部を介して外部と連通させることを特徴とする。
【０００８】
また、本発明の撮像装置（２００）は、上記の光学機器と、前記光学系による像を撮像する撮像素子（１０２）とを備える。
【発明の効果】
【０００９】
本発明の光学機器及び撮像装置によれば、保持枠に隣接する空間を切欠き部を介して外部と連通させ、光学系を駆動する際の抵抗を低減することができる。
【図面の簡単な説明】
【００１０】
【図１】本発明の第１実施形態におけるレンズ鏡筒の広角状態を示す断面図である。
【図２】同、望遠状態を示す断面図である。
【図３】図１のＡ−Ａ線に沿う断面図である。
【図４】図１に示すレンズ鏡筒の外筒と回転操作筒との結合部の拡大断面図である。
【図５】本発明の第２実施形態における図４に相当する拡大断面図である。
【図６】本発明の第３実施形態における図４に相当する拡大断面図である。
【図７】本発明の実施形態におけるカメラの概略構成を示す断面図である。
【発明を実施するための形態】
【００１１】
以下、本発明の第１実施形態について図面を参照して説明する。
本実施形態のレンズ鏡筒は、例えば焦点距離を連続的に変更するズーム動作を行うことができる交換レンズである。なお、以下の各図面では部材毎に縮尺を適宜変更している。
図１及び図２は、本実施形態のレンズ鏡筒の概略構成を示す模式的な断面図である。また、図１はレンズ鏡筒の広角状態を示し、図２は望遠状態を示している。
【００１２】
図１に示すように、本実施形態のレンズ鏡筒（光学機器）１００は、第１レンズ群Ｌ１、第２レンズ群Ｌ２、第３レンズ群Ｌ３、第４レンズ群Ｌ４の例えば４つのレンズ群により構成される光学系を有している。第１レンズ群Ｌ１〜第４レンズ群Ｌ４は、これら光学系の光軸Ｘ方向の被写体側から像面側（カメラボディ側）にこの順で配置されている。
【００１３】
レンズ鏡筒１００は、固定筒１、カム筒２、直進筒（保持枠）３、外筒（保持筒）５及び回転操作筒（回転部材）７を備えている。固定筒１、カム筒２及び直進筒３は、上記の光学系を保持する筒状の部材である。また、外筒５及び回転操作筒７は、固定筒１、カム筒２及び直進筒３の外側に設けられ、内側にこれらを保持するとともに、レンズ鏡筒１００の外殻を構成する筒状の部材である。
【００１４】
固定筒１の像面側の端部の外側は、外筒５の像面側の端部の内側に固定されている。固定筒１の内側で光軸Ｘ方向の像面側には、第４レンズ群Ｌ４を保持する第４レンズ保持枠Ｆ４が保持されている。固定筒１の内側で第４レンズ群Ｌ４の光軸Ｘ方向の被写体側には、第３レンズ群Ｌ３を保持する第３レンズ保持枠Ｆ３が保持されている。
固定筒１は、第３レンズ群Ｌ３の光軸Ｘ方向の被写体側において径が拡大され、拡径部が設けられている。固定筒１の拡径部の内側には、カム筒２が固定筒１に対して周方向に回転可能に保持されている。固定筒１の拡径部の外側には、直進筒３が、固定筒１に対して周方向に回転可能かつ光軸Ｘ方向に移動可能に保持されている。
【００１５】
固定筒１の拡径部には、不図示の直進カム溝が、光軸Ｘ方向に沿って設けられている。この直進カム溝は、後述する第２レンズ保持枠Ｆ２の光軸Ｘ方向の移動範囲に亘って設けられている。また、固定筒１の拡径部には、不図示のリードカム溝が、光軸Ｘ方向と交差する方向に沿って設けられている。このリードカム溝は、直進筒３の光軸Ｘ方向の移動範囲に対応して設けられている。
【００１６】
カム筒２には、不図示のリードカム溝が、固定筒１の直進溝に対応して、光軸Ｘと交差する方向に沿って設けられている。カム筒２の内側には、第２レンズ群Ｌ２を保持する第２レンズ保持枠Ｆ２が、光軸Ｘ方向に移動可能に保持されている。
第２レンズ保持枠Ｆ２には、不図示のフォロアピンが、光軸Ｘ方向と交差する方向に突出して設けられている。このフォロアピンは、カム筒２のリードカム溝及び固定筒１の直進カム溝の双方と係合している。第２レンズ保持枠Ｆ２は、この構成によりカム筒２の回転によって光軸Ｘ方向に沿って移動可能に設けられている。
【００１７】
直進筒３は、光軸Ｘ方向の像面側が固定筒１の拡径部の外側に保持され、光軸Ｘ方向の被写体側の端部の内側に第１レンズ群Ｌ１を保持している。直進筒３には、不図示の第１固定ピンが、直進筒３の径方向内側の光軸Ｘ方向と交差する方向に突出して設けられている。この第１固定ピンは、固定筒１に設けられたリードカム溝に係合するように設けられている。また、直進筒３には、不図示の第２固定ピンが、直進筒３の径方向外側の光軸Ｘ方向と交差する方向に突出して設けられている。この第２固定ピンは、回転操作筒７の内側に設けられた不図示の直進溝に係合するように設けられている。
【００１８】
外筒５は、像面側の端部の内側に固定筒１が固定されることで、内側に固定筒１を保持している。この構成により、外筒５は、固定筒１を介してカム筒２を周方向に回転可能に保持するとともに、直進筒３を光軸Ｘ方向に移動可能に保持している。
外筒５の外側には、円環状の不図示の回転操作部が、外筒５に対して周方向に回転可能に設けられている。この回転操作部は不図示の係合部においてカム筒２と係合し、カム筒２と一体的に回転可能に設けられている。
外筒５の像面側には、例えばカメラボディに着脱可能に結合されるマウント部６が設けられている。外筒５のマウント部６と反対側は、回転操作筒７の外側に係合するように設けられている。
【００１９】
回転操作筒７の像面側の端部は、外筒５の内側に係合するように設けられている。外筒５と回転操作筒７との結合部１０Ａは、いわゆるバヨネット結合部であり、回転操作筒７は外筒５に対して回転可能に結合している。回転操作筒７の内側には、直進筒３の外側に突出した第２固定ピンが係合する不図示の直進溝が設けられている。この直進溝は、直進筒３の光軸Ｘ方向の移動範囲に対応して、光軸Ｘ方向に沿って設けられている。また、回転操作筒７の内側で、光軸Ｘ方向の被写体側には、封止部材４が設けられている。
【００２０】
封止部材４は、回転操作筒７の内周面に固定され、直進筒３の外周面と摺動可能に設けられている。封止部材４は、回転操作筒７と直進筒３との間の隙間を封止することで、塵芥や水分などが外部からレンズ鏡筒１００の内部に侵入することを防止するために設けられている。
【００２１】
以上の構成により、レンズ鏡筒１００は次のような動作が可能となっている。
まず、図１に示す広角状態において、回転操作筒７を外筒５に対して周方向の一方向に回転させる。すると、回転操作筒７の内側の直進溝に係合する第２固定ピンを有する直進筒３が、回転操作筒７と一体的に周方向に回転し、固定筒１に対して周方向に回転する。直進筒３が固定筒１に対して周方向に回転すると、直進筒３の内側に突出した第１固定ピンが、固定筒１に設けられたリードカム溝に沿って移動する。また、直進筒３の外側に突出した第２固定ピンは、回転操作筒７の内側に設けられた直進カム溝に沿って移動する。
【００２２】
これにより、直進筒３及び第１レンズ群Ｌ１は、回転操作筒７とともに周方向に回転しながら、光軸Ｘ方向に沿って被写体側に移動する。すると、レンズ鏡筒１００は、図２に示す望遠状態となる。また、図２に示す状態から回転操作筒７を逆方向に回転させる。すると、直進筒３は、周方向に回転操作筒７と一体的に回転しながら、光軸Ｘ方向に沿って像面側に移動し、図１に示す広角状態となる。
【００２３】
また、外筒５の外周部に設けられた不図示の回転操作部を外筒５に対して周方向に回転させる。すると、カム筒２が回転操作部と一体的に回転し、カム筒２が固定筒１に対して周方向に回転する。すると、第２レンズ保持枠Ｆ２に設けられたフォロアピンが固定筒１の直進溝及びカム筒２のリードカム溝に沿って移動する。これにより、第２レンズ保持枠Ｆ２及び第２レンズ群Ｌ２は光軸Ｘ方向に沿って移動する。
【００２４】
次に、外筒５と回転操作筒７との結合部１０Ａについて説明する。
図１に示すように、外筒５と回転操作筒７との結合部１０Ａにおいて、回転操作筒７は外筒５の内側に配置されている。結合部１０Ａにおいて、回転操作筒７の外周面には、外筒５の内側に係合する係合爪７ａが、径方向外側に向けて光軸Ｘ方向と略直交する方向に突出して設けられている。結合部１０Ａにおいて、回転操作筒７の係合爪７ａが形成されていない部分には、回転操作筒７を貫通する貫通孔状の切欠き部７ｂが設けられている。
結合部１０Ａにおいて、外筒５の内周面には、回転操作筒７の係合爪７ａが係合する係合溝５ａが周方向に連続的に設けられている。
【００２５】
図３は、図１のＡ−Ａ線に沿う回転操作筒７の矢視断面図である。
図３に示すように、回転操作筒７は、複数の係合爪７ａと複数の切欠き部７ｂとを有している。
係合爪７ａは、回転操作筒７の外周面に沿って等間隔に例えば３つ設けられている。係合爪７ａの間の係合爪７ａの非形成領域には、回転操作筒７を貫通する貫通孔状の切欠き部７ｂが設けられている。
【００２６】
切欠き部７ｂは、回転操作筒７の内部を外部と連通し、回転操作筒７の内部と外部との間で気体を流通させるように設けられている。切欠き部７ｂは、回転操作筒７の内周面側の開口が外周面側の開口よりも大きく形成され、内周面側に段差部７ｃが形成されている。段差部７ｃには、防水通気シート８の周縁部が例えば接着剤により固定されている。
防水通気シート８は、外部からの水滴等の侵入を防止し、切欠き部７ｂにおける気体の流通を妨げないように、防水性及び通気性を有する部材により形成されている。
【００２７】
図４は図１に示す結合部１０Ａの拡大図であり、（ａ）は係合爪７ａの近傍の拡大断面図、（ｂ）は切欠き部７ｂの近傍の拡大断面図である。
図４（ａ）に示すように、回転操作筒７には径方向に突出する係合爪７ａが設けられている。図４（ｂ）に示すように、回転操作筒７の外筒５の内側に配置された部分には切欠き部７ｂが設けられている。切欠き部７ｂの内側の段差部７ｃには防水通気シート８が設けられ、切欠き部７ｂからの水滴や塵芥等の侵入を防止している。
【００２８】
図４（ａ）及び図４（ｂ）に示すように、係合爪７ａ及び切欠き部７ｂの光軸Ｘ方向（図の上下方向）の外筒５側（像面側）に隣接する回転操作筒７の外周面（摺動部）７ｄは、周方向に段差なく面一に設けられている。また、係合爪７ａ及び切欠き部７ｂの光軸Ｘ方向の外筒５と反対側（被写体側）に隣接する回転操作筒７の外周面７ｅは、回転操作筒７の全周に亘って周方向に段差なく面一に設けられている。
【００２９】
また、回転操作筒７の係合爪７ａ及び切欠き部７ｂを挟んで光軸Ｘ方向に隣接する外周面７ｄと外周面７ｅは、光軸Ｘ方向に段差なく面一に設けられている。
また、回転操作筒７の光軸Ｘ方向と略垂直に設けられた面７ｆも、回転操作筒７の全周に亘って周方向に段差なく面一に設けられている。
【００３０】
図４（ａ）及び図４（ｂ）に示すように、結合部１０Ａにおいて、外筒５には係合爪７ａが係合する係合溝５ａが設けられている。係合溝５ａの底部と係合爪７ａの先端部との間には間隙が設けられている。係合溝５ａの側壁と係合爪７ａの側面とは周方向に摺動可能に接している。
【００３１】
外筒５の係合溝５ａの光軸Ｘ方向の像面側に隣接する内周面（摺動部）５ｄは、外筒５の周方向の全周に亘って段差なく面一に設けられている。外筒５の内周面５ｄは、外筒５の周方向の全周に亘って回転操作筒７の外周面７ｄと周方向に摺動可能に接している。
外筒５の係合溝５ａの光軸Ｘ方向の被写体側に隣接する内周面５ｅは、係合溝５ａの光軸Ｘ方向の像面側に隣接する内周面５ｄよりも外周側に設けられ、回転操作筒７の外周面７ｅと径方向に離間している。また、内周面５ｅは外筒５の全周に亘って周方向に段差なく面一に設けられている。
【００３２】
すなわち、外筒５は、像面側の内周面５ｄにおける内径が、被写体側の内周面５ｅにおける内径よりも小さくなっている。
また、外筒５の光軸Ｘ方向と略垂直に設けられた先端面５ｆは、回転操作筒７の面７ｆと光軸Ｘ方向に離間して設けられ、外筒５の周方向の全周に亘って段差なく面一に設けられている。
【００３３】
以上の構成により、図４（ｂ）に示すように、外筒５の内周面５ｅと回転操作筒７の外周面７ｅとの間には、光軸Ｘ方向に沿って第１の間隙ｇ１が設けられている。また、外筒５の先端面５ｆと、回転操作筒７の光軸Ｘ方向と略垂直な面７ｆとの間には、光軸Ｘ方向と略垂直な方向に沿って第２の間隙ｇ２が設けられている。第１の間隙ｇ１及び第２の間隙ｇ２は、回転操作筒７の周方向の全周に亘って連続的に設けられている。
【００３４】
図４（ｂ）に示すように、第１の間隙ｇ１は切欠き部７ｂと連通するように設けられている。第２の間隙ｇ２は、第１の間隙ｇ１及び外部と連通するように設けられている。これにより、第１の間隙ｇ１は、第２の間隙ｇ２を介して外部と連通している。また、切欠き部７ｂは、第１の間隙ｇ１及び第２の間隙ｇ２を介して外部と連通している。ここで、第１の間隙ｇ１の光軸Ｘ方向に垂直な方向の幅Ｄ１は、第２の間隙ｇ２の光軸Ｘ方向に平行な方向の幅Ｄ２よりも大きくなっている。
【００３５】
次に、本実施形態の作用について説明する。
図１に示す広角状態のレンズ鏡筒１００において、回転操作筒７を外筒５に対して周方向の一方向に回転させ、図２に示すように直進筒３を光軸Ｘ方向に移動させて望遠状態にする。すると、直進筒３に隣接する第１レンズ群Ｌ１と第２レンズ群Ｌ２との間の空間Ｓ１の容積が増大する。
【００３６】
空間Ｓ１の容積が増大すると、固定筒１と回転操作筒７との間の空間Ｓ２から空間Ｓ１に、固定筒１の直進カム溝及びリードカム溝、カム筒２のリードカム溝、及び固定筒１と直進筒３との間の隙間などを介して空気が流入する。
【００３７】
ここで、回転操作筒７と直進筒３との間は封止部材４によって封止されており、外部から空間Ｓ２に空気がほとんど流入しない。また、外筒５の像面側の端部の内側には固定筒１に固定されており、固定筒１と外筒５との間から空間Ｓ２に空気を流入させることができない。また、レンズ鏡筒１００は、マウント部６がカメラ等の撮像装置に接続されて用いられるため、固定筒１の像面側から空間Ｓ２に空気はほとんど流入しない。
【００３８】
仮に、回転操作筒７に切欠き部７ｂが設けられていない場合には、外筒５の内周面５ｄと回転操作筒７の外周面７ｄが接しているため、外部から空間Ｓ２へ空気はほとんど流入しない。すると、空間Ｓ２の圧力が減少し、レンズ鏡筒１００内の圧力が減少する。レンズ鏡筒１００内の圧力が減少すると、第１レンズ群Ｌ１を駆動する際に回転させる回転操作筒７の回転抵抗が増大する。
【００３９】
しかし、本実施形態では、回転操作筒７に切欠き部７ｂが設けられている。そのため、回転操作筒７を外筒５に対して回転させて直進筒３を光軸Ｘ方向に移動させる際に、直進筒３に隣接する空間Ｓ２を、切欠き部７ｂを介して外部と連通させることができる。
これにより、外部の空気を切欠き部７ｂを介して空間Ｓ２へ流入させ、空間Ｓ２から空間Ｓ１へ空気を流入させることができる。したがって、レンズ鏡筒１００内の圧力が減少することが防止され、第１レンズ群Ｌ１を駆動する際の抵抗を低減することができる。
【００４０】
また、外筒５と回転操作筒７との間に、切欠き部７ｂと連通して空間Ｓ１，Ｓ２を外部と連通させる第１の間隙ｇ１及び第２の間隙ｇ２が設けられている。さらに、本実施形態では、第１の間隙ｇ１及び第２の間隙ｇ２は、回転操作筒７の周方向の全周に亘って連続的に設けられている。したがって、レンズ鏡筒１００の外部の空気を、第１の間隙ｇ１及び第２の間隙ｇ２を介して、切欠き部７ｂに圧力損失をほとんど生じることなく到達させることができる。また、切欠き部７ｂから排出されたレンズ鏡筒１００の内部の空気を圧力損失をほとんど生じることなく外部に放出させることができる。
【００４１】
また、外筒５及び回転操作筒７は、図４（ａ）及び図４（ｂ）に示すように、それぞれ光軸Ｘ方向に沿って設けられ回転操作筒７の回転により互いに摺動する内周面５ｄ及び外周面７ｄを有している。そのため、回転操作筒７を外筒５に対して周方向に回転させる際に、回転操作筒７が光軸Ｘ方向に対して傾くことを防止できる。したがって、回転操作筒７のガタツキを防止して、回転操作筒７を光軸Ｘ回りにスムーズに回転させることが可能になる。
【００４２】
また、本実施形態では、光軸Ｘ方向に沿って設けられ切欠き部７ｂと連通する第１の間隙ｇ１と、光軸Ｘ方向と交差する方向に設けられ第１の間隙ｇ１を外部と連通する第２の間隙ｇ２と、を有している。そして、第１の間隙ｇ１の光軸Ｘ方向に垂直な方向の幅Ｄ１は、第２の間隙ｇ２の光軸Ｘ方向に平行な方向の幅Ｄ２よりも大きくなっている。そのため、空間Ｓ１，Ｓ２から切欠き部７ｂを介して排出された空気をより外部へ放出しやすくすることができる。
【００４３】
また、切欠き部７ｂに防水性及び通気性を有する防水通気シート８が設けられている。そのため、空気の流通を妨げることなく、外部から切欠き部７ｂを介してレンズ鏡筒１００の内部の空間Ｓ１，Ｓ２に水滴や塵芥などが侵入することを防止できる。
また、切欠き部７ｂは、回転操作筒７の外筒５の内側に配置された部分に設けられている。そのため、切欠き部７ｂは外筒５によって覆われ、外部に直接露出しない。したがって、切欠き部７ｂからレンズ鏡筒１００内に外光が入ることを防止できる。また、水分や塵芥が外部から侵入することを防止できる。
【００４４】
次に、本発明の第２実施形態について、図１〜図３を援用し、図５を用いて説明する。本実施形態では、外筒５と回転操作筒７との結合部１０Ｂの構成が第１実施形態で説明した結合部１０Ａと異なっている。その他の点は第１実施形態と同様であるので、同一の部分には同一の符号を付して説明は省略する。
図５は、本実施形態の外筒５と回転操作筒７との結合部１０Ｂを示す第１実施形態の図４に相当する拡大断面図である。
【００４５】
図５（ａ）に示すように、結合部１０Ｂにおいて、回転操作筒７の係合爪７ａの光軸Ｘ方向の外筒５と反対側（被写体側）に隣接する外周面（摺動部）７ｅは、外筒５の内周面５Ｅと周方向に摺動可能に接している。外周面７ｅは、係合爪７ａに対応して回転操作筒７の周方向に部分的に設けられている。
図５（ｂ）に示すように、結合部１０Ｂにおいて、回転操作筒７には第１実施形態と同様に貫通孔状の切欠き部７Ｂが設けられている。
【００４６】
図５（ｂ）に示すように、回転操作筒７の切欠き部７Ｂの光軸Ｘ方向の被写体側に隣接する外周面７Ｅは、係合爪７ａに隣接する外周面７ｅよりも回転操作筒７の内周側に設けられ、回転操作筒７の内周面５Ｅと径方向に離間している。外周面７Ｅは、切欠き部７Ｂに対応して回転操作筒７の周方向に部分的に設けられている。
すなわち、回転操作筒７の外周面７Ｅと外周面７ｅは周方向に交互に設けられ、これらの間には回転操作筒７の径方向に段差が設けられている。
【００４７】
図５（ａ）及び図５（ｂ）に示すように、回転操作筒７の外周面７ｄは、第１実施形態と同様に周方向の全周に亘って段差なく面一に設けられている。図５（ａ）に示すように、外周面７ｄと、係合爪７ａを挟んで光軸Ｘ方向の被写体側に隣接する外周面７ｅとは、段差なく面一に設けられている。また、図５（ｂ）に示すように、外周面７ｄと、切欠き部７Ｂを挟んで光軸Ｘ方向の被写体側に隣接する外周面７Ｅとの間には、回転操作筒７の径方向に段差が設けられている。
【００４８】
また、図５（ａ）及び図５（ｂ）に示すように、回転操作筒７の光軸Ｘ方向と略垂直な面（摺動部）７Ｆは、回転操作筒７の光軸Ｘ方向と略垂直な面７ｆよりも光軸Ｘ方向の像面側に設けられている。面７Ｆと面７ｆとは回転操作筒７の周方向に交互に設けられ、これらの間には光軸Ｘ方向に段差が設けられている。
【００４９】
図５（ａ）に示す面７Ｆは、係合爪７ａに対応して周方向に部分的に設けられ、外筒５の先端面５ｆと周方向に摺動可能に接している。
図５（ｂ）に示す面７ｆは、切欠き部７Ｂに対応して回転操作筒７の周方向に部分的に設けられ、外筒５の先端面５ｆと光軸Ｘ方向に離間している。
【００５０】
図５（ａ）及び図５（ｂ）に示すように、外筒５の係合溝５ａの光軸Ｘ方向の被写体側に隣接する内周面（摺動部）５Ｅは、外筒５の周方向の全周に亘って段差なく面一に設けられている。また、内周面５Ｅは、係合溝５ａの光軸Ｘ方向の像面側に隣接する内周面５ｄと光軸Ｘ方向に段差なく面一に設けられている。すなわち、外筒５は、係合溝５ａの像面側に隣接する内周面５ｄにおける内径が、被写体側に隣接する内周面５Ｅにおける内径と略等しくなっている。
【００５１】
以上の構成により、図５（ｂ）に示すように、外筒５の内周面５Ｅと回転操作筒７の外周面７Ｅとの間には、光軸Ｘ方向に沿って第１の間隙ｇ３が設けられている。また、図５（ａ）に示すように、内周面５Ｅは、回転操作筒７の外周面７ｅと周方向に摺動可能に接している。すなわち、第１の間隙ｇ３は、回転操作筒７の切欠き部７Ｂに対応して周方向に部分的に設けられている。
【００５２】
また、図５（ｂ）に示すように、外筒５の先端面５ｆと、回転操作筒７の切欠き部７Ｂに対応して設けられた光軸Ｘ方向と略垂直な面７ｆとの間には、光軸Ｘ方向と略垂直な方向に沿って第２の間隙ｇ４が設けられている。また、図５（ａ）に示すように、外筒５の先端面５ｆと、係合爪７ａに対応して設けられた光軸Ｘ方向と略垂直な面７Ｆとは、周方向に摺動可能に接している。すなわち、第２の間隙ｇ４は、回転操作筒７の切欠き部７ｂに対応して周方向に部分的に設けられている。
【００５３】
次に、本実施形態の作用について説明する。
図１及び図２に示すように、第１実施形態と同様に回転操作筒７を外筒５に対して周方向に回転させると、直進筒３に隣接する空間Ｓ１の容積が変化する。このとき、結合部１０Ｂにおいて、回転操作筒７及び外筒５の内側の空間Ｓ１，Ｓ２が、図５（ａ）及び図５（ｂ）に示すように、切欠き部７Ｂを介して外部と連通している。したがって、本実施形態によれば、第１実施形態と同様に、直進筒３に隣接する空間Ｓ１，Ｓ２を切欠き部７Ｂを介して外部と連通させ、第１レンズ群Ｌ１、第２レンズ群Ｌ２などの光学系を駆動する際の抵抗を低減することができる。
【００５４】
また、切欠き部７Ｂは、回転操作筒７の外筒５に対する回転によらず、常に第１の間隙ｇ３と連通している。また、第２の間隙ｇ４は、回転操作筒７の外筒５に対する回転によらず、常に第１の間隙ｇ３を外部に連通させている。したがって、第１実施形態と同様に、レンズ鏡筒１００内の空間Ｓ１，Ｓ２の空気と外部の空気を、第１の間隙ｇ１及び第２の間隙ｇ２を介して、圧力損失をほとんど生じることなく流通させることができる。
【００５５】
また、本実施形態の結合部１０Ａは、図５（ａ）及び図５（ｂ）に示すように、回転操作筒７の係合爪７ａ及び切欠き部７Ｂの像面側の外周面７ｄと外筒５の内周面５ｄとが第１実施形態と同様に摺動可能に接している。加えて、図５（ａ）に示すように、回転操作筒７の係合爪７ａの被写体側の外周面７ｅが外筒５の内周面５Ｅと摺動可能に接している。さらに、回転操作筒７の光軸Ｘ方向と略垂直に設けられた面７Ｆが外筒５の先端面５ｆと摺動可能に接している。そのため、回転操作筒７を外筒５に対して周方向に回転させる際に、回転操作筒７が光軸Ｘ方向に対して傾くことをより確実に防止できる。したがって、回転操作筒７のガタツキをより確実に防止して、回転操作筒７を光軸Ｘ回りによりスムーズに回転させることが可能になる。
【００５６】
また、切欠き部７Ｂに第１実施形態のような防水通気シート８が設けられていないので、切欠き部７Ｂにおける圧力損失を低減し、よりスムーズに空気を流通させることが可能になる。したがって、外筒５及び回転操作筒７の内部の空間Ｓ１，Ｓ２の圧力変動をより効果的に防止することができる。
【００５７】
次に、本発明の第３実施形態について、図１〜図３を援用し、図６を用いて説明する。本実施形態では、外筒５と回転操作筒７との結合部１０Ｃの構成が第１実施形態で説明した結合部１０Ａと異なっている。その他の点は第１実施形態と同様であるので、同一の部分には同一の符号を付して説明は省略する。
図６は、本実施形態の外筒５と回転操作筒７との結合部１０Ｃを示す第１実施形態の図４に相当する拡大断面図である。
【００５８】
本実施形態では、図４に示す結合部１０Ａの回転操作筒７と外筒５との関係が逆転している。すなわち、図６（ａ）に示すように、結合部１０Ｃにおいては、図４（ａ）の係合爪７ａに相当する係合爪５ｊが外筒５に設けられている。また、図６（ｂ）に示すように、外筒５の回転操作筒７の内側に配置された部分には、図４（ｂ）の切欠き部７ｂに相当する切欠き部５ｋが設けられている。切欠き部５ｋには段差部５ｌが設けられ、段差部５ｌには第１実施形態と同様の防水通気シート８が設けられている。
【００５９】
また、図６（ａ）及び図６（ｂ）に示す外筒５の外周面５ｐ、外周面５ｍ及び面５ｎは、それぞれ第１実施形態の図４（ａ）及び図４（ｂ）に示す回転操作筒７の外周面７ｄ、外周面７ｅ及び面７ｆに相当する。また、図６（ａ）及び図６（ｂ）に示す回転操作筒７の係合溝７ｊ、内周面７ｐ、内周面７ｍ及び先端面７ｎは、それぞれ第１実施形態の図４（ａ）及び図４（ｂ）に示す係合溝５ａ、内周面５ｄ、内周面５ｅ及び先端面５ｆに相当する。以上の構成により、本実施形態では、図６（ｂ）に示すように、外筒５と回転操作筒７との間に、第１実施形態の図４（ｂ）に示す第１の間隙ｇ１及び第２の間隙ｇ２に相当する第１の間隙ｇ５及び第２の間隙ｇ６が設けられている。
したがって、本実施形態によれば、第１実施形態と同様の効果を得ることができる。
【００６０】
次に、本実施形態に係るレンズ鏡筒１００を備えたカメラについて説明する。
図７は、本実施形態に係るカメラの概略構成を示す断面図である。
図７に示すように、カメラ（撮像装置）２００は、レンズ鏡筒１００と、カメラボディ１０１と、撮像素子１０２と、を備えている。カメラボディ１０１は、レンズ鏡筒１００と例えばバヨネット結合により着脱可能に結合している。
【００６１】
図７に示すカメラ２００において、不図示の被写体から光軸Ｘに沿ってレンズ鏡筒１００に入射した光は、レンズ鏡筒１００の光学系によって集光される。レンズ鏡筒１００の光学系によって集光された光は、撮像素子１０２において結像する。これにより、被写体からの光は撮像素子１０２によって撮像され、被写体画像として不図示のメモリに記録される。
【００６２】
尚、本発明は上述した実施の形態に限られるものではなく、本発明の趣旨を逸脱しない範囲で種々変形して実施することができる。例えば、切欠き部は貫通孔状ではなく、保持筒又は回転部材の端部に設けられ一部が開放された切り欠き状のものであってもよい。また、切欠き部は一方向に延びる貫通溝状のものであってもよい。また、各実施形態において説明した構成を、異なる組み合わせで用いることも可能である。
【符号の説明】
【００６３】
１  固定筒、２  カム筒、３  直進筒（保持枠）、４  封止部材、５  外筒（保持筒）、５ｄ  内周面（摺動部）、５Ｅ  内周面（摺動部）、５ｆ  先端面（摺動部）、５ｊ  係合爪（係合部）、５ｋ  切欠き部、５ｐ  外周面（摺動部）、７  回転操作筒（回転部材）、７ａ  係合爪（係合部）、７ｂ  切欠き部、７ｄ  外周面（摺動部）、７ｅ  外周面（摺動部）、７ｐ  内周面（摺動部）、７Ｂ  切欠き部、７Ｆ  面（摺動部）、８  防水通気シート（防水性及び通気性を有する部材）、Ｘ  光軸、Ｄ１，Ｄ２  幅、Ｌ１  第１レンズ群（光学系）、Ｓ１，Ｓ２  空間、ｇ１，ｇ３，ｇ５  第１の間隙、ｇ２，ｇ４，ｇ６  第２の間隙、１００  レンズ鏡筒（光学機器）、２００  カメラ（撮像装置）
【図１】
0005493605.tif 000002
【図２】
0005493605.tif 000003
【図３】
0005493605.tif 000004
【図４】
0005493605.tif 000005
【図５】
0005493605.tif 000006
【図６】
0005493605.tif 000007
【図７】
0005493605.tif 000008